【事件の表示】
　平成１１年特許願第　６８０４４号「原稿読取記録装置」拒絶査定不服審判事件〔平成１２年　９月２９日出願公開、特開２０００−２６７５１３〕について、次のとおり審決する。
【結　論】
　本件審判の請求は、成り立たない。
【理　由】
１．手続の経緯・本願発明
　本願は、平成１１年３月１５日の出願であって、その請求項１ないし２に係る発明は、特許請求の範囲の請求項１ないし２に記載された事項により特定されるとおりのものであるところ、その請求項１に係る発明は次のとおりのものである。（以下、「本願発明」という。）
「複数枚の原稿の画像を合成して１枚の記録紙に記録するＮｉｎ１コピー機能を有した原稿読取記録装置において、記録紙の種別の選択手段と、それぞれの原稿のサイズを検出する検出手段と、原稿の記録倍率の入力手段と、検出したサイズの原稿の画像の各々を、入力された記録倍率で変換し、変換した画像のそれぞれを合成した場合、この合成した画像のサイズが、選択した種別の記録紙の範囲内となるかを判別する判別手段と、この判別結果が範囲外となるときには、判断結果が範囲内となる最小サイズの記録紙の種別と、上記選択した記録紙の種別とを異なる態様で表示する報知手段を備えており、この報知手段は、上記選択した記録紙の種別では、上記合成した画像のサイズがその記録紙の範囲外となる旨と、上記判断結果が範囲内となる最小サイズの記録紙の種別とを教示する文字メッセージを付随して表示する構成としたことを特徴とする原稿読取記録装置。」
　
２．引用刊行物
（１）これに対して、当審における、平成１７年１１月１０日付けの拒絶理由通知書で引用した、本願出願前に頒布された刊行物である引用文献１（特開平４−３６３９６５号公報）には、図面とともに以下の事項が記載されている。
（１−１）「【請求項３】原稿を露光する露光手段と、１枚の記録シートに像形成すべき原稿の枚数を示す枚数データを発生する枚数データ発生手段と、前記露光手段により露光される原稿のサイズを示す第１サイズ信号を発生する第１のサイズ信号発生手段と、前記露光手段により露光される原稿の像形成倍率を入力する倍率入力手段と、前記枚数データ発生手段により発生される枚数分の原稿の画像を前記倍率入力手段により入力された倍率で、１枚の記録シートの同じ面の異なる位置に形成する像形成手段と、前記枚数データ発生手段により発生される枚数データと、前記第１のサイズ信号発生手段により発生される第１サイズ信号と、前記倍率入力手段により入力された倍率とに基づいて前記像形成手段により像形成されるべき前記記録シートのサイズを決定する制御手段とを有することを特徴とする画像形成装置。」（請求項３） 
（１−２）「【００１５】図２は、図１に示したコントローラ部ＣＯＮＴの構成を説明するブロック図であり、５０はＣＰＵで、図示しないＲＯＭ，ＲＡＭを内蔵し、ＲＯＭに記憶された制御プログラムに基づいて各部を総括的に制御する。 
【００１６】５１はイメージリーダで、上記イメージセンサ部９等より構成され、イメージセンサ部９により光電変換されたアナログ画像信号を画像信号制御回路５２に出力する。５３はプリンタで、画像信号制御回路５２から出力されるビデオ信号に基づいて露光制御部１０を駆動して光ビームを感光体１１に照射する。なお、イメージリーダ５１には画像形成に必要なモード設定のためのキー，表示器等を有する走査パネルが設けられている。なお、５４は画像信号を記憶する記憶装置である。 
【００１７】このように構成された画像形成装置において、イメージリーダ５１により原稿画像の読み取りが開始されて、記憶装置５４に順次各原稿画像データが記憶され、画像信号制御回路５２が記憶装置５４に記憶された各原稿画像データの読出しタイミングおよびプリンタ５３の画像書込みタイミングを制御して同一のカットシートに複数の原稿画像を同時に振り分け出力する（縮小連写）。これにより、同一のカットシート上に所望数の原稿画像を振り分け出力する。 
【００１８】倍率入力手段（本実施例では後述するズームキー１０９等）から露光手段（上記３〜９等）が露光する原稿の像形成倍率に対応する倍率と、第１のサイズ信号発生手段（本実施例ではイメージリーダ５１に接続される原稿給送装置１に設けるセンサ等）にから原稿サイズに対応する第１のサイズ信号と、第２のサイズ信号発生手段（カセット１４，１５に収容される図示しない公知の記録シートサイズ検出器等）から記録シートサイズに対応する第２のサイズ信号とがＣＰＵ５０入力されると、制御手段が１枚の記録シートに像形成可能な原稿枚数を決定し、決定された原稿枚数分の画像を像形成手段が上記倍率に従って１枚の記録シートの同じ面の異なる位置に形成させ、原稿枚数優先に縮小連写された出力を得る。なお、ＣＰＵ５０は本実施例における制御手段を兼ねており、図示しないＲＯＭ等に記憶された縮小連写制御プログラムに基づいて縮小連写モード処理を実行するが、制御手段をハードロジックで構成しても良い。 
【００１９】また、枚数データ発生手段から原稿枚数に対応する原稿枚数データ（本実施例ではテンキー１０５）と、第１のサイズ信号発生手段から原稿サイズに対応する第１のサイズ信号と、第２のサイズ信号発生手段から記録シートサイズに対応する第２のサイズ信号とが入力されると、制御手段（ＣＰＵ５０）が１枚の記録シートに像形成する像形成手段の像形成倍率を決定し、決定された像形成倍率に従って像形成手段が１枚の記録シートの同じ面の異なる位置に形成させ、画像形成倍率優先に縮小連写された出力を得る。 
【００２０】さらに、倍率入力手段から露光手段が露光する原稿の像形成倍率に対応する倍率と、枚数データ発生手段から原稿枚数に対応する原稿枚数データと、第１のサイズ信号発生手段から原稿サイズに対応する第１のサイズ信号とが入力されると制御手段（ＣＰＵ５０）が像形成手段により像形成されるべき記録シートのサイズを決定し、記録シートサイズ優先に縮小連写された出力を得る。」 
（段落【００１５】〜【００２０】） 
（１−３）「【００２６】また、１３８はコピー枚数，転写紙，設定倍率およびメッセージ等を表示する液晶表示部（表示器）で、液晶表示素子で構成されている。１３９〜１５０はＬＥＤ（発行ダイオード）による表示器で、先ず、１３９はソータを使用する場合のソータ使用表示用のＬＥＤであり、ソートモード，グループモード等を表示する。１４０は自動露光調整（ＡＥ）キー１３７が押下された時に点灯する自動露光調整表示器、１４１はコピー濃度調整キー１０７に対応する濃度表示器、１４２は現像器選択切換えキー１０４が押され、本体内またはオプションで装備される現像器収納装置内にある現像が選択された時に、その現像器の色に対応した色表示が点灯する表示器である。」（段落【００２６】） 
（１−４）「【００４３】図７（ａ）に示す画面を液晶表示部１３８に表示する。次いで、テンキー１０５により原稿枚数，ズームキー１０９を操作して原稿サイズを設定する(1) ，(2) 。なお、用紙サイズは用紙サイズ選択キー１０６で選択する。次いで、ＣＰＵ５０は１枚のカットシート上に設定された枚数の原稿を重複しないで複写可能な最大の縮小倍率を演算するとともに、各原稿画像の出力位置を計算する(3) 。また、計算した倍率を液晶表示部１３８に図７の（ｂ）に示すように表示し(4) 、使用者に縮小連写時の縮小状態を認知させて、アスタリスクキー１３２が押下されたら設定処理を終了する。」（段落【００４１】） 
（１−５）「【００４７】図９は本発明に係る画像形成装置における原稿枚数指定優先の縮小連写の所定手順の一例を説明するフローチャートである。なお、(1) ，(11)〜(13)は各ステップを示す。 
【００４８】縮小連写キー１１３が入力されると、縮小連写モードを設定し(1) 、液晶表示部１３８に図１０に示す内容を表示する。この時、原稿枚数の欄は、コピーキー１０３入力後に原稿給送装置１によって自動的にカウントされるので「オート」である。なお、ここで、テンキー１０５からの入力がある場合に、上述したフローがスタートするように構成すれば、使用者の好みで異なる倍率表示処理を自動起動させることができる。また、原稿給送装置１には原稿サイズを検知する機構（幅と長さから原稿サイズを検出する）を備えているので、使用者は出力用紙サイズのみを設定するだけでよい。ここで、コピーキー１０３が押下されると、図９に示す（ｂ）に示す処理が起動され、原稿給送装置１により原稿枚数をカウントし(11)、枚数カウント終了後、ＣＰＵ５０は１枚のカットシート上に設定された原稿枚数を重複しないで振り分け出力する最大の倍率を演算するとともに、各画像毎の出力位置を計算して(12)、液晶表示部１３８に表示し(13)、コピー処理を開始する。 
【００４９】図１１は倍率優先の縮小連写モードの設定状態を示す模式図である。 
【００５０】図１２は縮小倍率優先の縮小連写モードの処理手順の一例を説明するフローチャートである。なお、(1) 〜(4) は各ステップを示す。 
【００５１】先ず、図３に示した操作パネル上で縮小連写キー１１３が押下されると、縮小連写モードが設定されてこのフローチャートが開始される。図７に示す画面を液晶表示部１３８に表示する。次いで、ズームキー１０５で倍率を設定する(1) 。次いで、選択キー１３４，確定キー１３５を用いてカーソルを原稿サイズの部分に移動し、ズームキー１０９を用いて原稿サイズを設定するとともに、カセット選択キー１０６を操作して出力用紙サイズを設定する(2) 。次いで、ＣＰＵ５０はズームキー１０９で設定された倍率で選択されたシートに像形成可能な原稿枚数および各原稿の出力位置を演算する(3) 。次いで、演算された最大入力可能原稿枚数を表示し(4) 、使用者に縮小連写時の縮小状態を認知させて、終了を示すアスタリスクキー１３２が押下されたら設定処理を終了する。また、この実施例についても上述した如く、原稿給送装置１を使用して原稿のサイズを検知することにより、操作者は用紙サイズと倍率を入力するだけで良い。」（段落【００４７】〜【００５１】） 
（１−６）「【００６７】以上の縮小連写モードにおいて、原稿枚数を演算する方法，倍率を演算する方法，記録シートサイズを演算する方法があるが、縮小連写モードを選択した場合、これらを選択して場合、これらを選択するようにしても良い。すなわち、縮小連写キー１１３を押すと、図１３に示す表示がなされ、縮小連写の種類を選択できる。ここで、所望の縮小連写モード（第１〜第３の縮小連写モード）をテンキー１０５で入力すれば、各パラメータの設定画面が表示され、入力待機状態となる。」（段落【００６７】） 
（１−７）「【００７１】さらに、原稿を露光する露光手段と、１枚の記録シートに像形成すべき原稿の枚数を示す枚数データを発生する枚数データ発生手段と、露光手段により露光される原稿のサイズを示す第１サイズ信号を発生する第１のサイズ信号発生手段と、露光手段により露光される原稿の像形成倍率を入力する倍率入力手段と、枚数データ発生手段により発生される枚数データと、第１のサイズ信号発生手段により発生される第１サイズ信号と、倍率入力手段により入力された倍率とに基づいて像形成手段により像形成されるべき記録シートのサイズを決定する制御手段とを有するので、原稿枚数，像形成倍率等を変更することにより、適正な記録シートサイズを指示でき、記録シートサイズ優先に縮小連写された適正な出力を得ることができる。」（段落【００７１】） 
（１−８）「【００７３】従って、簡単な操作で各原稿画像が互いに重複することなく原稿数，像形成倍率，記録シートサイズの何れかに優先となる所望の縮小連写出力を得ることができ、複数枚の原稿を集約化した紙無駄のない複写処理を実現できる等の効果を奏する。」（段落【００７３】） 
　上記（１−６）で摘記した段落【００６７】において参照している図１３に文字メッセージ表示手段を有することが示されているから、上記摘記事項を総合勘案すると、引用文献１には以下の発明が実質的に記載されている。 
 「複数枚の原稿の画像を合成して１枚の記録シートに記録するコピー機能を有した画像形成装置において、文字メッセージを表示する報知手段を有し、記録紙の種別の選択手段（用紙サイズ選択キー１０６等）と、それぞれの原稿のサイズを検出する検出手段（第１のサイズ信号発生手段）と、原稿の記録倍率の入力手段（スームキー１０９等）と、記録紙サイズ自動設定時において、検出したサイズの原稿の画像の各々を、入力された記録倍率で変換し、変換した画像のそれぞれを合成した場合、この合成した画像のサイズが画像を形成すべき所定の種別の記録紙の範囲内になるように適正な記録紙のサイズを決定し指示する構成とした原稿読取記録装置。」
　
（２）同じく拒絶理由通知書で引用した、本願出願前に頒布された刊行物である引用文献２（特開平１０−２２９４８９号公報）には、図面とともに以下の事項が記載されている。
（２−１）「【０００１】【発明の属する技術分野】本発明は、複写機、プリンタなどの画像形成装置用の編集設定装置に係り、詳しくは、画像形成装置に所定の入力画像に基づいて用紙上に出力画像を形成させる際に、それらの画像間の倍率などの編集情報を画像形成装置に設定するために使用する編集設定装置に関する。」（段落【０００１】） 
 （２−２）「【０００６】そこで、本発明は、原稿の画像の全部あるいは一部を変倍してそれを用紙の全部あるいは一部に形成させる際に、変倍率を予め手計算することなく設定することができる画像形成装置用の編集設定装置を開発することを目的とする。 
【０００７】【課題を解決するための手段】すなわち、本発明は、所定の入力画像に基づいて用紙上に出力画像を形成する画像形成装置用の編集設定装置であって、入力画像の切り出し領域の大きさ、及び用紙上に形成する出力画像の大きさを数値入力するための設定入力手段と、設定入力手段に入力された数値情報を基に、入力画像に対する出力画像の倍率を判別する倍率判別手段と、判別された倍率情報を画像形成装置に出力する倍率出力手段とを有する画像形成装置用の編集設定装置である。」（段落【０００６】〜【０００７】） 
（２−３）「【００２５】他方、上記後処理フロチャートは、入力フロチャートを終了するために使用したキーの種類に応じて動作が異なる。先ず、スタートキー８で終了した場合には、用紙のサイズが指定されているか否かを確認し（Ｓ２３）、指定されていない場合には、上記出力画像が納まる最小のサイズの用紙を選択して編集情報を出力する（Ｓ２５，Ｓ２８）。用紙が指定されている場合には、上記出力画像が当該用紙に納まるか否かを判断し（Ｓ２４）、納まる場合には編集情報を出力する（Ｓ２８）。他方、用紙に出力画像が納まらない場合にはその旨の警告（図６）を液晶ディスプレイに表示させ（Ｓ２６）、使用者がｏｋを入力したら編集情報を出力し（Ｓ２８）、ＮＧを入力したら入力フロチャートに戻る。」（段落【００２５】） 
（２−４）図６や図１１及びそれらの説明文に、決定した倍率ではコピーイメージが指定された用紙（Ａ４縦）より大きくなることを文字メッセージで表示し警告する報知手段を具備させること等が示されている。 
　上記摘記事項を総合勘案すると引用文献２には以下の発明が実質的に記載されている。 
「編集された出力画像を形成すべき用紙サイズが指定されているか否かを判断し（Ｓ２３）、用紙のサイズが指定されていない場合には、出力画像のサイズが収まる最小の用紙を選択し（Ｓ２５）、用紙のサイズが指定されている場合には、編集した画像のサイズが、指定した用紙の範囲内となるかを判別する判別手段（Ｓ２４）と、この判断結果が範囲外となるときには選択した用紙のサイズでは出力画像のサイズがその用紙からはみ出ることを文字メッセージで表示する（Ｓ２６）画像形成装置。」 
 
３．本願発明（前者）と引用文献１に記載の発明（後者）の対比 
　後者における「記録シート」、「画像形成装置」、「コピー機能」は、それぞれ、前者における「記録紙」、「原稿読取記録装置」、「Ｎｉｎ１コピー機能」に相当し、両者とも、Ｎｉｎ１コピー機能を有した原稿記録装置において、文字メッセージを表示する報知手段を有し、記録紙の種別の選択手段と、それぞれの原稿のサイズを検出する検出手段と、原稿の記録倍率の入力手段と、検出したサイズの原稿の各々を、入力された記録倍率で変換し、変換した画像のそれぞれを合成した場合、この合成した画像のサイズが、画像を形成すべき所定の種別の記録紙の範囲内となるかを判別する判別手段を有しているということができるので、両者は、 
「複数枚の原稿の画像を合成して１枚の記録紙に記録するＮｉｎ１コピー機能を有した原稿読取記録装置において、文字メッセージを表示する報知手段を有し、記録紙の種別の選択手段と、それぞれの原稿のサイズを検出する検出手段と、原稿の記録倍率の入力手段と、検出したサイズの原稿の画像の各々を、入力された記録倍率で変換し、変換した画像のそれぞれを合成した場合、この合成した画像のサイズが画像を形成すべき所定の種別の記録紙の範囲内となるかを判別する判別手段を有する構成とした原稿読取記録装置。」である点で一致し、以下の点で相違する。 
・相違点：検出したサイズの現像の各々を、入力された記録倍率で変換し、変換した画像のそれぞれを合成した場合、この合成された画像を形成すべき所定の種別の記録紙の範囲内となるかを判別する判別手段等の具体的構成において、前者が、合成した画像のサイズが「選択した種別の記録紙の範囲内となるかを判別する判別手段と、この判断結果が範囲外となるときには、判断結果が範囲内となる最小サイズの記録紙の種別と、選択した記録紙の種別とを異なる態様で表示する報知手段とを備えており、この報知手段は、選択した記録紙の種別では、合成した画像のサイズがその記録紙の範囲外となる旨と、判断結果が範囲内となる最小サイズの記録紙の種別とを教示する文字メッセージを付随して表示する構成とした」のに対して、後者が、合成した画像のサイズが「倍率画像を形成すべき所定の種別の記録紙の範囲内になるように適正な記録紙のサイズを決定し指示する構成とした」点。 
 　 
４．判断  
　上記相違点は、本願発明が、指定された枚数の原稿の画像を入力された記録倍率で一枚の記録紙に形成する場合において、画像を形成すべき記録紙を操作者が「選択した種別の記録紙」としたことにより、操作者が適正な記録紙を選択したことを確認するために、編集した画像のサイズが、指定した用紙の範囲内となるかを判別する判別手段と、この判断結果が範囲外となるときには選択した用紙のサイズでは出力画像のサイズがその用紙からはみ出ることを文字メッセージで表示する構成を必要とするのに対して、引用文献１に記載された発明が、入力された記録倍率で指定された枚数の原稿の画像を一枚の記録紙に形成する場合には、記録紙の種別を指定しないで、「記録紙サイズ自動設定時において、検出したサイズの原稿の画像の各々を、入力された記録倍率で変換し、変換した画像のそれぞれを合成した場合、この合成した画像のサイズが画像を形成すべき所定の種別の記録紙の範囲内になるように適正な記録紙のサイズを決定し指示する」ことに由来するものということができる。 
　上述したように、引用文献２には、「編集された出力画像を形成すべき用紙サイズが指定されているか否かを判断し、用紙のサイズが指定されていない場合には、出力画像のサイズが収まる最小の用紙を選択し、用紙のサイズが指定されている場合には、編集した画像のサイズが、指定した用紙の範囲内となるかを判別する判別手段と、この判断結果が範囲外となるときには選択した用紙のサイズでは出力画像のサイズがその用紙からはみ出ることを文字メッセージで表示する原稿読取記録装置」が記載されている。 
　引用文献１に記載された発明において、入力された記録倍率で画像を形成する場合に、記録紙の種別を指定しない場合に適正な種別の記録紙を決定し指示することに加えて、引用文献２に記載された発明のように、記録紙（用紙）の種別を指定することを可能とすると共に、「用紙のサイズが指定されている場合には、編集した画像のサイズが、指定した用紙の範囲内となるかを判別する判別手段と、この判断結果が範囲外となるときには選択した用紙のサイズでは出力画像のサイズがその用紙からはみ出ることを文字メッセージで表示する」構成を有する原稿読取記録装置とすることは適宜行われることにすぎない。 
　また、引用文献２に、用紙のサイズが指定されていない場合には、出力画像のサイズが収まる最小の用紙を選択することが記載されているように、引用文献１に記載された発明における適正な記録紙のサイズとして出力画像のサイズが収まる最小の記録紙（用紙）を選択し指示する構成とすることは設計事項にすぎない。 
　そして、引用文献１に記載された発明において、入力された記録倍率で画像を形成するときに記録紙（用紙）の種別を指定可能な構成とした場合、合成した場合の画像のサイズが選択した種別の記録紙の範囲外となる際にも、引用文献1に記載された発明における「記録紙サイズ自動設定時において、検出したサイズの原稿の画像の各々を、入力された記録倍率で変換し、変換した画像のそれぞれを合成した場合、この合成した画像のサイズが画像を形成すべき所定の種別の記録紙の範囲内になるように適正な記録紙のサイズを決定し指示する」機能を利用して適正な記録紙のサイズを表示すると共に、適正な記録紙の種別として判断結果が範囲内となる最小サイズの記録紙の種別を選択して表示することは適宜行われることにすぎない。 
　さらに、原稿読取記録装置において、表示画面等を使用して記録紙を選択するときに、特定の記録紙等を他と異なる態様で表示する報知手段を備えることは、実願平３−３４５００号（実開平４−１２９１５７号）のＣＤ−ＲＯＭ、特開平７−２７１２４６号公報、特開平９−２９２８００号公報、特開平１０−１０５３１９号公報に記載されているように周知である。 
　してみると、引用文献１に記載された発明において、引用文献２に記載の発明における、「用紙のサイズが指定されている場合には、編集した画像のサイズが、指定した用紙の範囲内となるかを判別する判別手段と、この判断結果が範囲外となるときには選択した用紙のサイズでは出力画像のサイズがその用紙からはみ出ることを文字メッセージで表示する」構成を具備させると共に、判断結果が範囲外となるときに、判断結果が範囲内となる最小サイズの記録紙（用紙）の種別を異なる態様で表示する報知手段を備えることにより、上記相違点に係る構成とすることは適宜行われることにすぎない。　　また、上記相違点に係る構成を採用したことにより予期せざる格別の作用効果が奏せられるものとすることもできない。 
 　 
　なお、審判請求人は、平成１８年１月１３日付け意見書において、以下のように主張している。
「・・・ しかしながら、引用文献１には、本願請求項１のように、ユーザが指定した原稿枚数と倍率とに基づいて合成した画像が、ユーザが選択した記録紙サイズの範囲内に収まるか否かを判定するとの記載または示唆はありません。すなわち、引用文献１は、ユーザが指定した原稿枚数と倍率とから適正な記録紙サイズを演算すると記載されているのみで、本願請求項１のように、ユーザが指定した原稿枚数と倍率とから合成画像を生成すること、合成画像を生成してから、選択された記録紙サイズの範囲内であるか判定すること、の２点は記載も示唆もありません。」
　しかしながら、審判請求人の上記主張は以下の理由により採用できない。　まず、引用文献１に記載の画像形成装置は本願発明に係る原稿読取記録装置と同じくＮｉｎ１コピー機能を有するものであるし、各原稿の画像ごとの出力位置を計算して記録シートに形成されるべき画像を合成するものであることは、引用文献１の図８や段落【００１７】の記載等を参照すれば明らかであるから、引用文献１に、「ユーザが指定した原稿枚数と倍率とから合成画像を生成すること」が引用文献１に記載も示唆もないという審判請求人の主張は誤りである。
　次に、本願明細書の段落【００２３】に以下の記載がある。
「この装置Ｆでは、複数枚分の原稿画像を１枚の記録紙に集約させて記録するため、操作部８の集約コピー設定キー（不図示）によってＮｉｎ１コピーモードやリピートコピーモードに設定した後、集約させる原稿画像の数を集約枚数入力キー８ａで入力し、記録紙の種別を記録紙選択キー８ｂで選択し、原稿サイズセンサ９Ｓで原稿のサイズを検出すると、判別手段を構成する主制御部１が、これらに基づいて、検出したサイズの原稿の各々を、入力された記録倍率で変換した後、合成した画像のサイズが、選択した種別の記録紙の範囲内に納まるかどうかを判別する。この判別結果が範囲内になれば、読取部９によって、原稿から画像を読み取って、その画像を画像メモリ４に蓄積し、集約枚数入力キー８ａで入力された数ずつに、原稿画像を１つの画像に合成して、記録部１０によって選択された記録紙に記録する。」
　上記の記載から明らかなように、画像を合成する前に、設定された原稿枚数と倍率に応じて出力されるべき合成画像のサイズが、ユーザが選択した種別の記録紙の範囲内に納まるかどうかを予め判別し、判別結果が範囲内になれば、読取部９によって、原稿から画像を読み取って、その画像を画像メモリ４に蓄積し、原稿画像を１つの画像に合成して、記録部１０によって選択された記録紙に記録することが記載されており、審判請求人が主張する、「合成画像を生成してから、選択された記録紙サイズの範囲内であるか判定すること」は本願明細書になんら記載されていない。
　また、請求項１に記載されている事項も上記段落【００２３】に記載されている事項に対応するものであって、審判請求人が主張している事項は請求項１に係る発明を特定する事項として記載されていない。
　以上の述べたことから明らかなように、審判請求人の上記意見書における主張は、本願明細書等に記載された事項に基づくものではない。
　
６．むすび
　上述したとおりであるから、本願請求項１に係る発明は、引用文献１に記載された発明、引用文献２に記載された発明、および、周知技術に基づいて当業者が容易に発明をすることができたものであり、特許法第２９条第２項の規定により特許を受けることができず、請求項２に係る発明について検討するまでもなく、本願は拒絶すべきものである。
　よって、結論のとおり審決する。